(57)【要約】【課題】外フィルムと内フィルムとの間にシート状食品を挟んでなる包装シートを横長の飯塊を巻き付けて包装した包装飯塊の包装を解くと、シート状食品が自動的に直接に飯塊に被さる様にする。【解決手段】外フィルム２は中央部に飯塊巻付け方向と直交して分断可能部21が設けられ、内フィルム３は２枚のフィルム片31、31aの内端どうしを外フィルムの分断可能部に重ねている。一方のフィルム片31a上に飯塊６が載る様に包装シートを開き、片手で飯塊６と包装シート１の飯塊側を支持し、他方の手で包装シートの他端側を引っ張って、外フィルム２を分断可能部21で分断すると共に、外フィルム２半分と一方のフィルム片31を一緒に引き抜いて、シート状食品４の半分を露出させ、該露出部を飯塊６に被せ、該飯塊を回転させて、シート状食品を完全に飯塊に巻き付ける。【選択図】図７
2009012839.tif 000002
【特許請求の範囲】
【請求項１】
外フィルム(２)と内フィルム(３)との間にシート状食品(４)を挟み、外フィルム(２)と内フィルム(３)の外周部は接合されている包装シート(１)によって横長の飯塊(６)が包装された包装飯塊において、外フィルム(２)は中央部に飯塊巻付け方向と直交して分断可能部(21)が設けられ、内フィルム(３)は２枚のフィルム片(31)(31a)の内端どうしを外フィルム(２)の分断可能部(21)の近傍上で重ねて形成されている、包装飯塊。
【請求項２】
内フィルム(３)には、外フィルム(２)の分断可能部(21)の方向に沿って左右両側へ被せ片(32)(32)が突出し、該被せ部(32)(32)が飯塊(６)の両端面に被さっている、請求項１に記載の包装飯塊。
【請求項３】
外フィルム(２)の分断可能部(21)は断続的な切条(22)である、請求項１又は２に記載の包装飯塊。
【請求項４】
内フィルム(３)の一方のフィルム片(31a)に両端をはみ出して被せフィルム(37)が重なっており、該被せフィルム(37)の両はみ出し部が被せ片(32)(32)となっている、請求項２又は３に記載の包装飯塊。
【請求項５】
外フィルム(２)と内フィルム(３)との間にシート状食品(４)を挟み外フィルム(２)と内フィルム(３)の外周部は接合されている包装シート(１)によって横長の飯塊(６)が包装され、外フィルム(２)は中央部に飯塊巻付け方向と直交して分断可能部(21)が設けられ、内フィルム(３)は２枚のフィルム片(31)(31a)の内端どうしを外フィルム(２)の分断可能部(21)の近傍上で重ねて形成されており、内フィルム(３)上にフィルム片(31)(31a)の重なり部(30)と平行に飯塊(６)が載り、該飯塊(６)の周面に包装シート(１)を巻き付けて、巻付け終端をラベル(５)等で止着している包装飯塊の、飯塊(６)にシート状食品(４)を直に巻き付ける方法であって、
一方のフィルム片(31a)上に飯塊(６)が載る様に包装シート(１)を開き、一方の手で飯塊(６)と包装シート(１)の飯塊側を支持し、他方の手で包装シート(１)の他端側を引っ張って、外フィルム(２)を分断可能部(21)で分断すると共に、外フィルム(２)の略1/2と一方のフィルム片(31)を一緒に引き抜いて、シート状食品(４)の略1/2を露出させ、該シート状食品(４)の露出部をフィルム片(31a)上の飯塊(６)に被せ、該飯塊をフィルム片(31a)上で回転させて、残り略1/2の外フィルム(２)と該フィルム片(31a)との間からシート状食品(４)を引き出しつつ飯塊(６)に巻き付けることを特徴とする、包装飯塊の飯塊に直にシート状食品を巻き付ける方法。
【請求項６】
外フィルム(２)と内フィルム(３)との間にシート状食品(４)を挟み外フィルム(２)と内フィルム(３)の外周部は接合されている包装シート(１)によって横長の飯塊(６)が包装され、外フィルム(２)は中央部に飯塊巻付け方向と直交して分断可能部(21)が設けられ、内フィルム(３)は２枚のフィルム片(31)(31a)の内端どうしを外フィルム(２)の分断可能部(21)の近傍上で重ねて形成されており、内フィルム(３)上にフィルム片(31)(31a)の重なり部(30)と平行に飯塊(６)が載り、該飯塊(６)の周面に包装シート(１)を巻き付けて、巻付け終端をラベル(５)等で止着している包装飯塊の、飯塊(６)にシート状食品(４)を直に巻き付ける方法であって、
外フィルム(２)を分断可能部(21)で分断してから、一方のフィルム片(31a)上に飯塊(６)が載る様に包装シート(１)を開き、一方の手で飯塊(６)と包装シート(１)の飯塊側を支持し、他方の手で包装シート(１)の他端側を引っ張って、外フィルム(２)の略1/2と一方のフィルム片(31)を一緒に引き抜いて、シート状食品(４)の略1/2を露出させ、該シート状食品(４)の露出部をフィルム片(31a)上の飯塊(６)に被せ、該飯塊をフィルム片(31a)上で回転させて、残り略1/2の外フィルム(２)と該フィルム片(31a)との間からシート状食品(４)を引き出しつつ飯塊(６)に巻き付けることを特徴とする、包装飯塊の飯塊に直にシート状食品を巻き付ける方法。
【発明の詳細な説明】
【技術分野】
【０００１】
本発明は、外フィルムと内フィルムとの間にシート状食品を収容した包装シートによって横長の飯塊を包装した包装飯塊、及び該包装飯塊の飯塊に直にシート状食品を巻き付ける方法に関するものである。
【背景技術】
【０００２】
図１３は、従来のこの種包装飯塊用の包装シート(１)と飯塊(６)を示している。
包装シート(１)の外フィルム(２)は長方形の一枚もののフィルムである。内フィルム(３)は、外フィルム(２)の1/2強の長さの第１フィルム片(35)と、外フィルム(２)の1/2弱の長さの第２フィルム片(36)から成り、両フィルム片(35)(36)を、外フィルム(２)及び外フィルム上のシート状食品(４)を完全に覆う様に重ね、両フィルム片(35)(36)と外フィルム(２)の外周縁を熱溶着している。
但し、第２フィルム片(36)は、図１４に示す如く、外フィルム(２)の短縁に溶着されているだけであり、該溶着端縁を中心にして外側へ開くことができる。
第２フィルム片(36)上には、両端部が外フィルム(２)の長手方向の側縁から大きくはみ出す被せフィルム(37)が重ねられている。被せフィルム(37)のはみ出し部分は、飯塊(６)の両端面に被せる被せ片(32)(32)となる。
【０００３】
横長の飯塊(６)の包装は、図１３に示す如く、被せフィルム(37)上に飯塊(６)を載せ、被せフィルム(37)の両端の被せ片(32)(32)を飯塊(６)の両端面に被せてから、包装シート(１)を飯塊(６)の周面に巻き付けて、巻付け端をラベル等で止着する(図６参照)。
【０００４】
飯塊(６)を食するには、先ず包装シート(１)の巻付け終端の止着を外し、包装シート(１)の巻き付けを解いて、図１３の状態に戻す。次に図１４に示す如く、内フィルム(３)の第２フィルム片(36)を開いて、シート状食品(４)の一端側の上面を露出させる。次に飯塊(６)を転がす等により、露出したシート状食品(４)の上に移動させ、該飯塊(６)にシート状食品を付着させる。
その位置で飯塊(６)を回転させると、外フィルム(２)と第１フィルム片(35)との間からシート状食品(４)が引き出されて飯塊(６)に直にシート状食品(４)が巻き付く。
外フィルム(２)と内フィルム(３)によって湿気が防止されていた新鮮なシート状食品(４)が巻き付いた飯塊(６)を食することができる。
【発明の開示】
【発明が解決しようとする課題】
【０００５】
上記の様に、従来の包装飯塊において、飯塊(６)に直にシート状食品(４)を巻き付けるには、シート状食品(４)の一端側を露出させる間は、飯塊(６)を包装シート(１)の巻付け開始端側へ位置させておき、シート状食品(４)の巻付け終端側を露出させると、該露出部へ飯塊(６)を移動させなければならず、通常はこの作業を不安定な掌の上で行なうから、慣れが必要であり、初心者は飯塊を落下させてしまうことが多々ある。
上記の様に、飯塊(６)を包装シート(１)の一端側から他端側へ移動させずに、シート状食品(４)の露出部を飯塊(６)に被せようとしても、シート状食品(４)の下面は外フィルム(２)が被さったままであり、又、内フィルム(３)の第２フィルム片(36)が邪魔になって、その作業は上記した場合よりも難しい。
本発明は、上記問題を解決できる包装飯塊、及び包装飯塊の飯塊に直にシート状食品を巻き付ける方法を明らかにするものである。
【課題を解決するための手段】
【０００６】
本発明の包装飯塊は、外フィルム(２)と内フィルム(３)との間にシート状食品(４)を挟み、外フィルム(２)と内フィルム(３)の外周部は接合されている包装シート(１)によって横長の飯塊(６)が包装された包装飯塊において、外フィルム(２)は中央部に飯塊巻付け方向と直交して分断可能部(21)が設けられ、内フィルム(３)は２枚のフィルム片(31)(31a)の内端どうしを外フィルム(２)の分断可能部(21)の近傍上で重ねて形成されている。
【０００７】
本発明の包装飯塊の飯塊(６)に直にシート状食品(４)を巻き付ける方法は、上記包装飯塊に実施するものであり、外フィルム(２)の分断可能部(21)が、外フィルム(２)の一端を引っ張るだけで分断できるものであれば、次の様に行なう。
一方のフィルム片(31a)上に飯塊(６)が載る様に包装シート(１)を開き、一方の手で飯塊(６)と包装シート(１)の飯塊側を支持し、他方の手で包装シート(１)の他端側を引っ張って、外フィルム(２)を分断可能部(21)で分断すると共に、外フィルム(２)の略1/2と一方のフィルム片(31)を一緒に引き抜いて、シート状食品(４)の略1/2を露出させ、該シート状食品(４)の露出部をフィルム片(31a)上の飯塊(６)に被せ、該飯塊をフィルム片(31a)上で回転させて、残り略1/2の外フィルム(２)と該フィルム片(31a)との間からシート状食品(４)を引き出しつつ飯塊(６)にシート状食品を巻き付ける。
【０００８】
外フィルム(２)の分断可能部(21)の種類によつては、外フィルム(２)の一端を引っ張るだけでは分断できない場合がある。この場合は、外フィルム(２)を分断可能部(21)で分断してから、一方のフィルム片(31a)上に飯塊(６)が載る様に包装シート(１)を開き、以下の手順は上記と同様である。
【発明の効果】
【０００９】
上記の如く、開いた包装シート(１)の一端側を引っ張って、外フィルム(２)の略1/2と、内フィルム(３)の略1/2を一緒に引き出すと、シート状食品(４)の略1/2の表裏両面が露出するから、フィルム片(31a)上の飯塊(６)を移動させることなく、シート状食品(４)の露出部を摘んで飯塊(６)に被せることができる。
更に飯塊(６)を定位置のまま回転させると、残りの外フィルム(２)とフィルム片(31a)との間からシート状食品(４)が引き出されて飯塊(６)に被さる。
従来の様に、包装シート(１)の一端側の飯塊(６)を、包装シート(１)の他端側へ移動させる必要はないから、不安定な掌の上での作業でも、容易に行なうことができる。
【発明を実施するための最良の形態】
【００１０】
図１乃至図３に示す如く、包装シート(１)は、夫々長方形の外フィルム(２)と内フィルム(３)との間に長方形のシート状食品(４)を挟んで形成されている。
実施例では、内フィルム(３)上に飯塊(６)の端面に被さる被せ部(32)(32)を設けて構成される。
【００１１】
飯塊(６)は具を巻いたもの、かやくご飯の塊、或いは白米の塊であり、長さ約１００mmの断面略円形又は略四角形である。
【００１２】
シート状食品(４)は、実施例ではシート海苔(41)であって、長さ約１４０mm、幅約１００mmであり、幅は飯塊(６)の長さに略一致し、長さは飯塊(６)を約１.１〜１.５周する長さである。
【００１３】
外フィルム(２)は、長さ方向の中央部で幅方向に分断可能な分断可能部(21)を有している。
実施例の分断可能部(21)は、外フィルム(２)の全幅に亘って断続的な切条(22)を施している。
外フィルム(２)の内面には、断続的な切条(22)からの外気の侵入を防止するために、帯フィルム(38)が被さっている。
【００１４】
内フィルム(３)は、略同形状の長方形のフィルム片(31)(31a)を互いの長手方向に沿う内側縁を５〜１０mmの重なり幅で重ねて形成される。実施例ではフィルム片(31)(31a)の重なり部(30)は単にフィルムが重なっているだけであるが、簡単に剥離する様に弱くスポット的に熱溶着しても可い。
【００１５】
両フィルム片(31)(31a)の内、飯塊への巻始め側のフィルム片(31a)に、長方形の被せフィルム(37)が、外フィルム(２)の長さ方向に直交して重ねられる。
被せフィルム(37)の両端は、フィルム片(31a)からはみ出して、前記被せ片(32)(32)となっている。
【００１６】
外フィルム(２)と内フィルム(３)の外周部は、少なくとも内フィルム(３)のフィルム片(31)(31a)の重なり部(30)を除いて熱溶着(10)を施して接合されている。
前記被せフィルム(37)は、フィルム片(31a)の端縁に熱溶着(10a)されている。
【００１７】
上記包装シート(１)によって飯塊(６)を包装するには、図１に示す如く、内フィルム(３)の包装シート(１)の巻始め側のフィルム片(31a)に飯塊(６)を載せる。実施例では、該フィルム片(31a)の上に被せフィルム(37)が被さっているから、被せフィルム(37)の上に飯塊(６)を載せることになる。
被せフィルム(37)の左右両端の被せ片(32)(32)を飯塊(６)の端面に被さる様に内側へ折り返す。次に包装シート(１)を飯塊(６)の周面に巻き付け、図６に示す如く、包装シート(１)の巻付け終端をラベル(５)で止める。
【００１８】
上記包装飯塊の包装を解いて、シート海苔(41)を直に飯塊(６)に巻き付ける手順を説明する。
先ずラベル(５)を剥がす。但しラベル(５)は、包装シート(１)の巻付け終端には接着したままにしておく方が望ましい。
図７に示す如く、被せフィルム(37)上に飯塊(６)が載る様に、包装シート(１)を開く。
【００１９】
包装シート(１)の飯塊(６)を一方の手で支持したまま、他方の手で包装シート(１)の他端を引っ張る(図８参照)。ラベル(５)が残っていれば、ラベル(５)を摘んで引っ張ることができ、作業性がよい。これによって、外フィルム(２)の中央部の断続的な切条(22)が繋がって２分されると共に、外フィルム(２)の半分と内フィルム(３)の半分であるフィルム片(31)が一緒に引き出されて、シート海苔(41)の半分が露出する。
【００２０】
図９に示す如く、シート海苔(41)の露出先端を摘んで、被せフィルム(37)上の飯塊(６)に被せる。
被せフィルム(37)上で飯塊(６)を周方向に回転させる。残り半分の外フィルム(２)と残りのフィルム片(31a)との間からシート海苔(41)が引き出されて飯塊(６)に直に巻き付けられる。
【００２１】
本発明の包装飯塊は、包装を解いてシート海苔(41)を直に飯塊(６)に巻き付けるときに、従来の様に、包装シート(１)の巻き始め側一端に位置している飯塊(６)を、包装シート(１)の他端側へ移動させる必要はないから、不安定な掌の上での作業でも、容易に行なうことができる。
【００２２】
包装飯塊は、内フィルム(３)上の該被せ部(32)(32)が飯塊(６)の両端面に被さっているから、飯塊(６)の乾燥や異物の侵入を防止できる。
被せ片(32)(32)は、内フィルム(３)のフィルム片(31a)と一体に形成することができるが、この場合、被せ片(32)(32)の折り方向とフィルム片(31a)の巻き方向の境界部で応力が作用して破損し易い。
実施例の様に、外フィルム(２)の一方のフィルム片(31a)に両端をはみ出して被せフィルム(37)を重ね、該被せフィルム(37)の両はみ出し部を被せ片(32)(32)とすれば、フィルム片(31a)と被せ片(32)に境界は存在せず、応力が加わってフィルムが破損し易くなることを防止できる。
【００２３】
図１１、図１２は外フィルム(２)の分断可能部(21)の他の実施例を示している。
図１１の分断可能部(21)は、外フィルム(２)自体が幅方向に裂け易い方向性フィルムであって、外フィルム(２)の長手方向の一方の側縁の中央に短く切込み(23)を施している。
前記の如く、包装シート(１)の一端を引っ張ったとき、切込み(23)から外フィルム(２)が避けて２分される。
【００２４】
図１２の外フィルム(２)の分断可能部(21)は、細帯状の強接着テープを外フィルム(２)の幅全長に接合した、所謂カットテープ(24)である。カットテープの一端を他端側へ引っ張ると、外フィルム(２)は２分される。
図１２の外フィルム(２)を本発明で用いる包装シート(１)に使用した場合、包装飯塊の包装を解く手順は、前記とは違って、カットテープ(24)で外フィルム(２)を二分してから、包装シート(１)の巻付け終端を引っ張って、外フィルム(２)の半分と内フィルム(３)の一方のフィルム片(31)を引き出すことになる。
【００２５】
尚、図１１の外フィルム(２)において、切込み(23)を、手指でフィルムを摘むことができる間隔を存して平行に２本施すこともできる。この場合、切込み間を摘んで外フィルム(２)を裂く方向に引っ張れば、容易に外フィルム(２)を二分できる。包装を解く手順は、図１２のカットテープ(24)の場合と同じである。
【００２６】
上記説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００２７】
【図１】包装シートの裏面側から見た斜視図である。
【図２】包装シートの被せフィルムを捲りあげた状態の斜視図である。
【図３】包装シートの表面側から見た斜視図である。
【図４】図１Ａ−Ａ線に沿う断面図である。
【図５】包装シートの分解斜視図である。
【図６】包装飯塊の斜視図である。
【図７】包装シートを開いた状態の斜視図である。
【図８】包装シート一端を引っ張ってシート状海苔の一部を露出させた状態の斜視図である。
【図９】飯塊にシート状海苔の露出部を被せた状態の斜視図である。
【図１０】飯塊にシート状海苔を直に巻いて、フィルムから完全に分離した状態の斜視図である。
【図１１】外フィルムの第２実施例の斜視図である。
【図１２】外フィルムの第３実施例の斜視図である。
【図１３】従来例の包装シートと飯塊の斜視図である。
【図１４】同上の包装シートの内フィルムの一方のフィルム片を開いた状態の斜視図である。
【符号の説明】
【００２８】
１  包装シート
２  外フィルム
21  分断可能部
22  断続的な切条
３  内フィルム
31  フィルム片
４  シート状食品
６  飯塊
【図１】
2009012839.tif 000003
【図２】
2009012839.tif 000004
【図３】
2009012839.tif 000005
【図４】
2009012839.tif 000006
【図５】
2009012839.tif 000007
【図６】
2009012839.tif 000008
【図７】
2009012839.tif 000009
【図８】
2009012839.tif 000010
【図９】
2009012839.tif 000011
【図１０】
2009012839.tif 000012
【図１１】
2009012839.tif 000013
【図１２】
2009012839.tif 000014
【図１３】
2009012839.tif 000015
【図１４】
2009012839.tif 000016